(57)【要約】【課題】人（ユーザー）がキーを押す押下時間を監視し、その押下時間に合わせて表示装置に設定されている接触時間閾値を調整することが可能となる。【解決手段】押下により前記制御部に前記所定の制御信号を出力させるタッチスイッチと、前記タッチスイッチの接触時間を検出するタッチ接触時間検出部と、過去の接触時間に基づいて算出された接触時間閾値に対し前記接触時間を比較し、前記タッチスイッチが動いているか否かを判定するタッチ動作判定部と、前記タッチ動作判定部の判定結果が入力され、判定結果が、前記タッチスイッチが動いているとの判定結果である場合に、当該判定結果を表す判定結果信号を前記制御部に対して出力し、入力される前記接触時間に基づいて前記接触時間閾値を再設定し、再設定された前記接触時間閾値を、前記タッチ動作判定部における接触時間閾値とするよう送信するタッチ機能制御部と、を有する。【選択図】図５
2020079859.tif 000002
【特許請求の範囲】
【請求項１】
入力される判定結果信号に基づいて所定の制御信号を生成し、前記所定の制御信号に対応する設定値を表示装置に設定し、前記表示装置に入力される映像信号に前記所定の制御信号に対応する映像信号を重畳させた処理後映像信号を表示部に表示させる制御部を備えた表示装置であって、
押下により前記制御部に前記所定の制御信号を出力させるタッチスイッチと、
前記タッチスイッチの接触時間を検出するタッチ接触時間検出部と、
過去の接触時間に基づいて算出された接触時間閾値に対し前記接触時間を比較し、前記タッチスイッチが動いているか否かを判定するタッチ動作判定部と、
前記タッチ動作判定部の判定結果が入力され、判定結果が、前記タッチスイッチが動いているとの判定結果である場合に、当該判定結果を表す判定結果信号を前記制御部に対して出力し、入力される前記接触時間に基づいて前記接触時間閾値を再設定し、再設定された前記接触時間閾値を、前記タッチ動作判定部における接触時間閾値とするよう送信するタッチ機能制御部と、
を有すること特徴とする表示装置。
【請求項２】
前記タッチスイッチが複数配置されている場合、
過去のｎ回分の接触時間を記憶するメモリをさらに備え、
前記タッチ機能制御部は、入力された接触時間を前記メモリに記憶させ、記憶させた順番が遅い順番である接触時間から早い順番である接触時間の合計ｎ個の平均値を接触時間閾値として再設定する、
ことを特徴とする請求項１に記載の表示装置。
【請求項３】
前記タッチスイッチが複数配置されている場合、
過去のｎ回分の接触時間を前記タッチスイッチ毎に記憶するメモリをさらに備え、
前記メモリは、複数配置された前記タッチスイッチ毎に接触時間を記憶し、
前記タッチ機能制御部は、入力された接触時間を前記メモリに複数配置された前記タッチスイッチ毎に記憶させ、記憶させた順番が遅い順番である接触時間から早い順番である接触時間の合計ｎ個の平均値を接触時間閾値として再設定する、
ことを特徴とする請求項１に記載の表示装置。
【請求項４】
前記表示装置の初回起動時において、
ユーザーがｍ回、前記タッチスイッチを押下し、
前記タッチ接触時間検出部は、前記タッチスイッチの前記ｍ回の接触時間を検出し、
前記タッチ機能制御部は、前記ｍ回の接触時間の平均値を初期接触時間閾値として設定し、
前記タッチ動作判定部は、前記初期接触時間閾値に基づいて前記判定を行う、
ことを特徴とする請求項１から請求項３いずれか一項に記載の表示装置。
【請求項５】
前記表示装置の起動中において、
前記タッチ動作判定部は、前記接触時間閾値に基づいて前記判定を行い、
ユーザーが所定のタッチスイッチを押下すると、
前記タッチ動作判定部は、前記初期接触時間閾値に基づいて前記判定を行う、
ことを特徴とする請求項４に記載の表示装置。
【請求項６】
入力される判定結果信号に基づいて所定の制御信号を生成し、前記所定の制御信号に対応する設定値を表示装置に設定し、前記表示装置に入力される映像信号に前記所定の制御信号に対応する映像信号を重畳させた処理後映像信号を表示部に表示させる制御部を備えた表示装置であって、
押下により前記制御部に前記所定の制御信号を出力させるタッチスイッチと、
前記タッチスイッチの接触時間を検出するタッチ接触時間検出部と、
過去の接触時間に基づいて算出された接触時間閾値に対し前記接触時間を比較し、前記タッチスイッチが動いているか否かを判定するタッチ動作判定部と、
タッチ機能制御部と、
を有する表示装置の制御方法であって、
前記タッチ機能制御部は、前記タッチ動作判定部の判定結果が入力され、判定結果が、前記タッチスイッチが動いているとの判定結果である場合に、当該判定結果を表す判定結果信号を前記制御部に対して出力し、入力される前記接触時間に基づいて前記接触時間閾値を再設定し、再設定された前記接触時間閾値を、前記タッチ動作判定部における接触時間閾値とするよう送信する
ことを特徴とする表示装置の制御方法。
【発明の詳細な説明】
【技術分野】
【０００１】
本発明は、表示装置および表示装置の制御方法に関する。
【背景技術】
【０００２】
静電方式のタッチキースイッチ（以下、タッチスイッチ、或いはキーと呼ぶこともある）を備えた表示装置においては、当該タッチスイッチはユーザーが操作する指とキーのとの接触によって動作する。ここでタッチスイッチによる「動作」とは、表示装置におけるタッチ機能制御部が制御する被制御部が所定の制御信号を出力するために、当該被制御部に対してタッチスイッチの押下時間に応じた判定結果信号を出力することを意味している。
【０００３】
例えば、特許文献１記載の映像表示装置においては、誤動作判定制御部（タッチ機能制御部）は、電源タッチスイッチの押下時間が所定時間以上であり、映像信号が入力されていなければ、電源タッチスイッチの押下がユーザーの意図による電源オフ、または、誤って押され続けていると判定し、セット電源制御回路（被制御部）に、映像表示装置をシャットダウンする強制パワーオフ信号を送る。
【０００４】
一方、誤動作判定制御部（タッチ機能制御部）は、電源タッチスイッチの押下時間が所定時間以上であるが、映像信号が入力されていれば、ユーザーの意図に反して誤って押され続けていると判定し、電源タッチスイッチの押下を無効としてセット電源制御回路（被制御部）には信号は送らない。
【０００５】
すなわち、キーが動作するかどうかの判定は押下時間（接触時間）によって決まっており、接触時間があらかじめ設定されている所定時間（接触時間閾値）以上になるとキーが動作する構成となっている。なお、「接触時間」とは、上述のとおり、人の指がキーに連続して接触している時間、すなわちキーの押下時間を指している。
【先行技術文献】
【特許文献】
【０００６】
【特許文献１】特開２０１０−０５４７６５号公報
【発明の概要】
【発明が解決しようとする課題】
【０００７】
しかし、タッチする感度（キーをどれくらい押すかの感覚）は人それぞれ違うため、接触時間閾値が固定されていると、人によって「キーの反応が遅い」、「反応が早すぎる」など不便がある。
【０００８】
すなわち、本発明は、上記の点に鑑みてなされたものであり、主たる目的は、人（ユーザー）がキーを押す押下時間を監視し、その押下時間に合わせて表示装置に設定されている接触時間閾値を調整することが可能な表示装置および表示装置の制御方法を提供することにある。
【課題を解決するための手段】
【０００９】
上記課題を解決するため、本発明の一態様は、入力される判定結果信号に基づいて所定の制御信号を生成し、前記所定の制御信号に対応する設定値を表示装置に設定し、前記表示装置に入力される映像信号に前記所定の制御信号に対応する映像信号を重畳させた処理後映像信号を表示部に表示させる制御部を備えた表示装置であって、押下により前記制御部に前記所定の制御信号を出力させるタッチスイッチと、前記タッチスイッチの接触時間を検出するタッチ接触時間検出部と、過去の接触時間に基づいて算出された接触時間閾値に対し前記接触時間を比較し、前記タッチスイッチが動いているか否かを判定するタッチ動作判定部と、前記タッチ動作判定部の判定結果が入力され、判定結果が、前記タッチスイッチが動いているとの判定結果である場合に、当該判定結果を表す判定結果信号を前記制御部に対して出力し、入力される前記接触時間に基づいて前記接触時間閾値を再設定し、再設定された前記接触時間閾値を、前記タッチ動作判定部における接触時間閾値とするよう送信するタッチ機能制御部と、を有すること特徴とする表示装置である。
【００１０】
また、本発明の一態様は、入力される判定結果信号に基づいて所定の制御信号を生成し、前記所定の制御信号に対応する設定値を表示装置に設定し、前記表示装置に入力される映像信号に前記所定の制御信号に対応する映像信号を重畳させた処理後映像信号を表示部に表示させる制御部を備えた表示装置であって、押下により前記制御部に前記所定の制御信号を出力させるタッチスイッチと、前記タッチスイッチの接触時間を検出するタッチ接触時間検出部と、過去の接触時間に基づいて算出された接触時間閾値に対し前記接触時間を比較し、前記タッチスイッチが動いているか否かを判定するタッチ動作判定部と、タッチ機能制御部と、を有する表示装置の制御方法であって、前記タッチ機能制御部は、前記タッチ動作判定部の判定結果が入力され、判定結果が、前記タッチスイッチが動いているとの判定結果である場合に、当該判定結果を表す判定結果信号を前記制御部に対して出力し、入力される前記接触時間に基づいて前記接触時間閾値を再設定し、再設定された前記接触時間閾値を、前記タッチ動作判定部における接触時間閾値とするよう送信することを特徴とする表示装置の制御方法である。
【発明の効果】
【００１１】
本発明の各態様によれば、人（ユーザー）がキーを押す押下時間を監視し、その押下時間に合わせて表示装置に設定されている接触時間閾値を調整することが可能となる。
【図面の簡単な説明】
【００１２】
【図１】本実施形態の表示装置１００の概略構成図である。
【図２】本実施形態の表示装置１００の回路構成例を示すブロック図である。
【図３】本実施形態の表示装置１００において、接触時間閾値の再設定方法を行う場合の各部が行う処理の流れを示すフロー図である。
【図４】本実施形態の表示装置１００において、初期接触時間閾値の設定方法を行う場合の各部が行う処理の流れを示すフロー図である。
【図５】本実施形態の表示装置１００の主要な構成を示す図である。
【発明を実施するための形態】
【００１３】
以下、図面を参照して本発明の実施形態について説明する。図１は、本実施形態の表示装置１００の概略構成図である。図１は、表示装置１００におけるタッチスイッチ１０の配置例を示したものである。図１において、表示装置１００の表示画面３の下側に位置するフロントベゼル（額縁）２には、タッチスイッチ１０が設けられている。タッチスイッチ１０は、静電方式のタッチキースイッチである。なお、本明細書では、「タッチキースイッチ」のことを単に「スイッチ」、或いは「キー」と呼ぶ場合がある。図１に示すタッチスイッチ１０においては、タッチスイッチ１０ａが左方向キー（左方向スイッチ）、タッチスイッチ１０ｂが右方向キー（右方向スイッチ）、タッチスイッチ１０ｃが下方向キー（下方向スイッチ）、タッチスイッチ１０ｄが上方向キー（上方向スイッチ）に割り当てられる。タッチスイッチ１０ａ〜１０ｄは、横方向に一列に配置されている。
【００１４】
図２は、本実施形態の表示装置１００の回路構成例を示すブロック図である。
表示装置１００は、タッチスイッチ１０と、タッチ接触時間検出部２０と、タッチ動作判定部３０と、タッチ機能制御部４０と、メモリ５０と、表示装置メイン制御部６０（制御部）と、表示部７０と、を含んで構成されている。
表示装置メイン制御部６０は、入力される判定結果信号に基づいて所定の制御信号を生成し、所定の制御信号に対応する設定値を表示装置１００に設定し、表示装置１００に入力される映像信号に所定の制御信号に対応する映像信号を重畳させた処理後映像信号を表示部７０に表示させる。
ここで、所定の制御信号とは、タッチスイッチ１０がユーザーの押下により表示装置メイン制御部６０に出力させる信号である。また、判定結果信号とは、タッチ動作判定部３０による判定結果が、タッチスイッチが動いているとの判定結果（ＯＫであるとの判定結果）である場合に、タッチ機能制御部４０が、表示装置メイン制御部６０に対して出力する、当該判定結果を表す信号である。
【００１５】
すなわち、タッチスイッチ１０は、例えばＯＳＤスイッチであり、表示装置メイン制御部６０は、ＯＳＤ制御部としての機能を有している。ここで、ＯＳＤ（Ｏｎ  Ｓｃｒｅｅｎ  Ｄｉｓｐｌａｙ）機能とは、表示装置１００の各種設定値等を、表示画面３の一部にオンスクリーンメニューを表示しながら設定できるようにした表示装置１００の機能である。例えば、表示画面３の明るさや、コントラスト（Ｃｏｎｔｒａｓｔ）や、画面サイズなどの設定値を、表示画面３上で確認しながら調整できるようにした機能である。
なお、本実施形態においては、設定値として、後述する接触時間閾値や、初期接触時間閾値が挙げられる。
このため、表示装置メイン制御部６０は、所定の制御信号に対応する設定値を、タッチ機能制御部４０を制御して表示装置１００のタッチ動作判定部３０に設定させ、表示装置１００に入力される映像信号に所定の制御信号に対応する映像信号を重畳させた処理後映像信号を表示部７０の表示画面３に表示させる。
【００１６】
以上のようなＯＳＤ機能を表示装置メイン制御部６０は有するため、表示装置１００は、以下に説明する、タッチスイッチ１０と、タッチ接触時間検出部２０と、タッチ動作判定部３０と、タッチ機能制御部４０と、メモリ５０と、を備えている。
すなわち、図２に示すように、タッチキーパッド（タッチスイッチ１０）にユーザーの指が接触するとタッチ接触時間検出部２０で接触時間が検出される。
つまり、タッチスイッチ１０は、ユーザーの押下により表示装置メイン制御部６０に上記所定の制御信号を出力させる。また、タッチ接触時間検出部２０は、タッチスイッチ１０の接触時間を検出する。
【００１７】
また、タッチ動作判定部３０にて接触時間閾値に対し実際の接触時間を比較し動作するか否かの判定（ＯＫ/ＮＧ判定）をする。判定結果はタッチ機能制御部４０へ送られ、ＯＫであれば表示装置メイン制御部６０を介しＯＳＤ動作／ＯＳＤ表示へ反映される。
つまり、タッチ動作判定部３０は、過去の接触時間に基づいて算出された接触時間閾値に対し接触時間を比較し、タッチスイッチ１０が動いているか否かを判定する。また、タッチ機能制御部４０は、タッチ動作判定部３０の判定結果が入力され、判定結果が、タッチスイッチ１０が動いているとの判定結果である場合に、当該判定結果を表す判定結果信号を表示装置メイン制御部６０に対して出力する。
【００１８】
また、接触時間はタッチ機能制御部４０へもフィードバックされ、タッチ機能制御部４０にて接触時間閾値が再設定される。再設定された閾値はタッチ動作判定部３０へ送られ、タッチ動作判定部３０は次回判定からこの設定値を使用する。
つまり、タッチ機能制御部４０は、タッチ接触時間検出部２０から入力される接触時間に基づいて接触時間閾値を再設定し、再設定された接触時間閾値を、タッチ動作判定部３０における接触時間閾値とするようタッチ動作判定部３０に送信する。また、メモリ５０は、タッチ機能制御部４０に入力される接触時間、すなわち過去の接触時間を記憶する。
【００１９】
続いて、接触時間閾値の再設定方法の一例について説明する。
図３は、本実施形態の表示装置１００において、接触時間閾値の再設定方法を行う場合の各部が行う処理の流れを示すフロー図である。
図３（ａ）は、キー種類に関係無く接触時間を測定する場合を示し、図３（ｂ）は、キーごとに接触時間を測定する場合を示している。
ここで、いずれの場合においても、タッチキーパッド（タッチスイッチ１０）は複数配置されており、メモリ５０にて過去１０回の接触時間が記憶されており、タッチ機能制御部４０はそこから過去１０回の時間を読み出し、その平均値を新たな閾値としてタッチ動作判定部３０へ送る。
【００２０】
まず、図３（ａ）に示すフローについて説明する。
ユーザーがいずれかのキーに接触する（ステップＳＴ１０）。
具体的には、タッチスイッチ１０は、ユーザーの押下により表示装置メイン制御部６０に上記所定の制御信号を出力させる。また、タッチ接触時間検出部２０は、タッチスイッチ１０の接触時間を検出する。
接触時間をメモリで記憶する（ステップＳＴ１１）。
具体的には、メモリ５０は、タッチ機能制御部４０に入力される接触時間、すなわち過去のｎ（＝１０）回分の接触時間を記憶する。
タッチ機能制御部で１０回の平均値を算出する（ステップＳＴ１２）。
具体的には、タッチ機能制御部４０は、入力された接触時間をメモリ５０に記憶させ、記憶させた順番が遅い順番である接触時間から早い順番である接触時間の合計ｎ個の平均値を接触時間閾値として算出し、再設定する。
タッチ動作判定部にて接触時間閾値を設定する（ステップＳＴ１３）。
具体的には、タッチ機能制御部４０は、再設定された接触時間閾値をタッチ動作判定部３０に送信し、タッチ動作判定部３０は送られてきた再設定された接触時間閾値を、接触時間閾値として設定する。
【００２１】
次に、図３（ｂ）に示すフローについて説明する。
ユーザーがいずれかのキーに接触する（ステップＳＴ２０）。
具体的には、タッチスイッチ１０は、ユーザーの押下により表示装置メイン制御部６０に上記所定の制御信号を出力させる。また、タッチ接触時間検出部２０は、タッチスイッチ１０の接触時間を検出する。
タッチ機能制御部で接触したキーを特定する（ステップＳＴ２１）。
具体的には、タッチ機能制御部４０は、入力された接触時間をメモリ５０に複数配置されたタッチスイッチ１０毎に記憶させるべく、接触したキーを特定する。
接触時間をキー毎にメモリで記憶する（ステップＳＴ２２）。
具体的には、メモリ５０は、タッチ機能制御部４０に入力される接触時間、すなわち過去のｎ（＝１０）回分の接触時間を、複数配置されたタッチスイッチ１０毎に記憶する。
タッチ機能制御部で接触したキーの１０回の平均値を算出する（ステップＳＴ２３）。
具体的には、タッチ機能制御部４０は、入力された接触時間をメモリ５０に複数配置されたタッチスイッチ１０毎に記憶させ、記憶させた順番が遅い順番である接触時間から早い順番である接触時間の合計ｎ個の平均値を接触したキーの接触時間閾値として算出し、再設定する。
タッチ動作判定部にて接触したキーの接触時間閾値を設定する（ステップＳＴ２４）。
具体的には、タッチ機能制御部４０は、再設定された接触時間閾値をタッチ動作判定部３０に送信し、タッチ動作判定部３０は送られてきた再設定された接触時間閾値を、接触したキーの接触時間閾値として設定する。
【００２２】
以上、説明した図３（ａ）、（ｂ）に示す接触時間閾値の再設定方法を表示装置１００が行うことにより、接触時間の平均値が接触時間閾値となるので、接触時間が長ければ接触時間閾値が長くなり、接触時間が短ければ接触時間閾値が短くなる。また、タッチキーパッド（タッチスイッチ１０）が複数配置されている場合、図３（ａ）に示す接触時間閾値の再設定方法を表示装置１００が行うことにより、接触時間の測定対象となるタッチキーパッドはキーの種類に関係無く測定できる。また、図３（ｂ）に示す接触時間閾値の再設定方法を表示装置１００が行うことにより、キー毎に測定することも可能である。
また、図３（ａ）、（ｂ）に示す接触時間閾値の再設定方法を表示装置１００が行うことにより、ユーザーがタッチ操作する度に過去ｎ（＝１０）回分の平均値を閾値として再設定し続ける。これにより、ユーザーのタッチ感度へ段々近づけていくことができる。
【００２３】
続いて、表示装置１００が備える追加機能について説明する。本機能の追加により、表示装置１００の初回起動時にユーザーに合わせた接触時間を設定（キャリブレーション）することも可能となる。
本機能を備えるために、表示装置１００は、以下のような構成を有する。
すなわち、表示装置１００の初回起動時において、ユーザーがｍ回（例えば、３回）タッチスイッチ１０を押下した場合、タッチ接触時間検出部２０は、タッチスイッチ１０のｍ回の接触時間を検出する。また、タッチ機能制御部４０は、ｍ回の接触時間をメモリ５０に記憶させる。また、タッチ機能制御部４０は、メモリ５０が記憶したｍ回の接触時間を読み出し、ｍ回の接触時間の平均値を初期接触時間閾値として算出し、算出結果である初期接触時間閾値をイニシャルデータとしてメモリ５０に記憶させる。また、タッチ動作判定部３０は、初期接触時間閾値に基づいて判定を行う。
【００２４】
続いて、初期接触時間閾値の設定方法の一例について説明する。
図４は、本実施形態の表示装置１００において、初期接触時間閾値の設定方法を行う場合の各部が行う処理の流れを示すフロー図である。
図４（ａ）は、初回起動時キャリブレーションにおける各部が行う処理の流れを示しており、図４（ｂ）は、初期接触時間閾値へ戻す場合の各部が行う処理の流れを示している。
【００２５】
まず、図４（ａ）に示すフローについて説明する。
ユーザーがいずれかのキーに３回接触する（ステップＳＴ３０）。
具体的には、タッチスイッチ１０は、ユーザーの押下により表示装置メイン制御部６０に上記所定の制御信号を出力させる。また、タッチ接触時間検出部２０は、タッチスイッチ１０のｍ（＝３）回分の接触時間を検出する。
接触時間をメモリで記憶する（ステップＳＴ３１）。
具体的には、メモリ５０は、タッチ機能制御部４０に入力される接触時間、すなわちｍ回分の接触時間を記憶する。
タッチ機能制御部で３回の平均値を算出する（ステップＳＴ３２）。
具体的には、タッチ機能制御部４０は、メモリ５０が記憶する接触時間の合計ｍ回の平均値を初期接触時間閾値として算出する。なお、タッチ機能制御部４０は、算出した初期接触時間閾値をメモリ５０に記憶させてもよい。
タッチ動作判定部にて初期閾値を設定する（ステップＳＴ３３）。
具体的には、タッチ機能制御部４０は、算出した初期接触時間閾値をタッチ動作判定部３０に送信し、タッチ動作判定部３０は送られてきた初期接触時間閾値を接触時間閾値として設定する。
【００２６】
次に、図４（ｂ）に示すフローについて説明する。
ユーザーがＯＳＤメニューにて初期閾値へ戻すよう操作する（ステップＳＴ４０）。
具体的には、ユーザーは、表示装置１００の起動中（タッチ動作判定部３０が、接触時間閾値に基づいて判定を行っている）において、所定のタッチスイッチ１０を押下する。
これに対して表示装置１００は、各種設定値等を、表示画面３の一部にオンスクリーンメニューを表示しながら設定できるようにしている。すなわち、表示装置１００における所定のタッチスイッチ１０は、押下されることにより、表示装置メイン制御部６０に所定の制御信号を出力させる。ここで、表示装置メイン制御部６０は、タッチ機能制御部４０から入力される判定結果信号（タッチ動作判定部３０の判定結果が、所定のタッチスイッチ１０が動いているとの判定結果である場合に、判定結果を表す判定結果信号）に基づいて所定の制御信号を生成し、所定の制御信号に対応する設定値（初期接触時間閾値）を表示装置１００に設定する。また、表示装置メイン制御部６０は、表示装置１００に入力される映像信号に所定の制御信号に対応する映像信号（表示画面３の一部に表示されるオンスクリーンメニュー）を重畳させた処理後映像信号を表示部７０に表示する。これにより、ＯＳＤメニューに表示される設定値を、タッチ動作判定部３０の接触時間閾値として設定することが可能となる。
【００２７】
メモリから記憶していた初期閾値を読出する（ステップＳＴ４１）。
具体的には、タッチ機能制御部４０は、メモリ５０が記憶する初期接触時間閾値を初期閾値として読み出す。
読出した初期閾値をタッチ動作判定部で設定する（ステップＳＴ４２）。
具体的には、タッチ動作判定部３０は、タッチ機能制御部４０がメモリ５０から読み出した初期接触時間閾値を設定する。
以上説明したように、本追加機能を備えることにより、ユーザーはＯＳＤメニュー操作にて表示装置１００の起動中の好きな時に、タッチ動作判定部３０の接触時間閾値を、この初期閾値（初期接触時間閾値）に戻すことが出来る。
【００２８】
次に、図５を参照して、本発明の実施形態の基本的構成例について説明する。図５は、本実施形態の表示装置１００の主要な構成を示す図である。図５に示す表示装置１００は、タッチスイッチ１０と、タッチ接触時間検出部２０と、タッチ動作判定部３０と、タッチ機能制御部４０と、表示装置メイン制御部６０（制御部）と、を含んで構成されている。
ここで、表示装置１００は、入力される判定結果信号に基づいて所定の制御信号を生成し、所定の制御信号に対応する設定値を表示装置１００に設定し、表示装置１００に入力される映像信号に所定の制御信号に対応する映像信号を重畳させた処理後映像信号を表示部（図２に示す表示部７０）に表示させる表示装置メイン制御部６０（制御部）を備えた表示装置である。
【００２９】
タッチスイッチ１０は、押下により表示装置メイン制御部６０に所定の制御信号を出力させる。
タッチ接触時間検出部２０は、タッチスイッチ１０の接触時間を検出する。
タッチ動作判定部３０は、過去の接触時間（図２に示すメモリ５０に記憶される）に基づいて（タッチ機能制御部４０により）算出された接触時間閾値に対し接触時間を比較し、タッチスイッチ１０が動いているか否かを判定する。
タッチ機能制御部４０は、タッチ動作判定部３０の判定結果が入力され、判定結果が、タッチスイッチ１０が動いているとの判定結果である場合に、当該判定結果を表す判定結果信号を表示装置メイン制御部６０（制御部）に対して出力し、入力される接触時間に基づいて接触時間閾値を再設定し、再設定された接触時間閾値を、タッチ動作判定部３０における接触時間閾値とするよう送信する。
【００３０】
この構成により、人（ユーザー）がキーを押す押下時間を監視し、その押下時間に合わせて表示装置に設定されている接触時間閾値を調整することが可能となる。
以上、この発明の実施形態について図面を参照して説明してきたが、具体的な構成は上記実施形態に限られるものではなく、この発明の要旨を逸脱しない範囲の設計等も含まれる。
【００３１】
例えば、図２および図５に示す表示装置１００の機能を実現するためのプログラムをコンピュータ読み取り可能な記録媒体に記録して、この記録媒体に記録されたプログラムをコンピュータシステムに読み込ませ、実行することにより、タッチ機能制御部４０または表示装置メイン制御部６０（制御部）が行う制御工程を行ってもよい。なお、ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【符号の説明】
【００３２】
１０，１０ａ，１０ｂ，１０ｃ，１０ｄ…タッチスイッチ、２０…タッチ接触時間検出部、３０…タッチ動作判定部、４０…タッチ機能制御部、５０…メモリ、６０…表示装置メイン制御部（制御部）、７０…表示部
【図１】
2020079859.tif 000003
【図２】
2020079859.tif 000004
【図３】
2020079859.tif 000005
【図４】
2020079859.tif 000006
【図５】
2020079859.tif 000007